(57)【特許請求の範囲】
【請求項１】
複数の扱歯を外周に備え、扱室内で回転軸を中心に回転する扱胴と、
前記扱胴の前記回転軸に沿って穀稈を搬送する穀稈搬送機構と、
前記扱胴及び前記穀稈搬送機構の間に配置される稈押さえ部材と、
を備え、
前記扱歯は扁平状に形成され、かつ、前記扱胴の前記回転軸と略平行な方向で隣接する前記扱歯同士は、略Ｖ字型の溝を形成し、
前記扱胴は、前記穀稈を上扱ぎ式に脱穀する方向に回転し、
前記稈押さえ部材は、前記穀稈の搬送方向に略沿って配置された丸パイプであり、前記扱胴及び前記穀稈搬送機構の間の穀稈に対して、上方から接触するように配置され、
当該稈押さえ部材には、前記穀稈の搬送方向上流側端部において、搬送される前記穀稈に対して上方から徐々に接近する導入部が形成されることを特徴とする脱穀装置。
【請求項２】
請求項１に記載の脱穀装置であって、
前記扱室のケーシングには、上方に回動することで前記扱室を開放する扱室カバーが設けられ、
前記稈押さえ部材は、前記扱室カバーに取り付けられていることを特徴とする脱穀装置。
【発明の詳細な説明】
【技術分野】
【０００１】
本発明は、穀稈の脱穀を行う脱穀装置に関する。
【背景技術】
【０００２】
脱穀装置は、穀稈を脱穀するための扱胴を備える。この扱胴は、円筒状の扱胴本体の外周に、多数の扱歯を配列したものである。従来の脱穀装置では、この扱歯は線材によって構成されていた。しかし、線材からなる扱歯は、穀稈の穂先との衝突頻度が小さく、脱穀の効率が悪いという課題があった。
【０００３】
そこで近年、Ｖ字状の溝が形成された板材によって扱歯を形成する構成が提案されている。このような脱穀装置は、例えば特許文献１に開示されている。特許文献１は、この構成により、穀稈を確実に脱穀処理することができるとしている。
【先行技術文献】
【特許文献】
【０００４】
【特許文献１】特開２００２−１１２６１８号公報
【発明の概要】
【発明が解決しようとする課題】
【０００５】
特許文献１が開示する脱穀装置の扱胴は、Ｖ字型の溝によって穀稈を挟み込んで回転する構成であるため、当該穀稈の穂先が扱胴によって引っ張られやすい。この結果、扱胴と、挟扼搬送機構と、の間で穀稈が突っ張った状態となる。このために、扱胴と、挟扼搬送機構と、の間の部分が扱胴から浮き上がってしまい、この部分の脱穀が行えないため扱ぎ残しが発生するという問題があった。
【０００６】
本発明は以上の事情に鑑みてされたものであり、その主要な目的は、扱き残しを低減させた脱穀装置を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の脱穀装置が提供される。即ち、この脱穀装置は、扱胴と、穀稈搬送機構と、稈押さえ部材と、を備える。前記扱胴は、複数の扱歯を外周に備え、扱室内で回転軸を中心に回転する。前記穀稈搬送機構は、前記扱胴の前記回転軸に沿って穀稈を搬送する。前記稈押さえ部材は、前記扱胴及び前記穀稈搬送機構の間に配置される。前記扱歯は扁平状に形成され、かつ、前記扱胴の前記回転軸と略平行な方向で隣接する前記扱歯同士は、略Ｖ字型の溝を形成している。前記扱胴は、前記穀稈を上扱ぎ式に脱穀する方向に回転する。前記稈押さえ部材は、前記扱胴及び前記穀稈搬送機構の間の穀稈に対して、上方から接触するように配置される。前記稈押さえ部材は、前記穀稈の搬送方向に略沿って配置された丸パイプである。当該稈押さえ部材には、前記穀稈の搬送方向上流側端部において、搬送される前記穀稈に対して上方から徐々に接近する導入部が形成される。
【０００９】
この構成により、稈押さえ部材によって、扱胴と穀稈搬送機構との間の穀稈を下向きに押さえ付けることができるので、穀稈が扱胴から浮き上がってしまうことを防止できる。これにより、扱ぎ残しを低減することができる。また、稈押さえ部材に導入部を形成したことにより、穀稈が搬送される際に、稈抑え部材によって当該穀稈をスムーズに押さえていくことができる。また、丸パイプとして構成された稈押さえ部材には、穀稈に接触する部分に鋭い部分がないので、穀稈を傷つけることなく押さえ付けることができる。
【００１２】
上記の脱穀装置は、以下のように構成されることが好ましい。即ち、前記扱室のケーシングには、上方に回動することで前記扱室を開放する扱室カバーが設けられている。前記稈押さえ部材は、前記扱室カバーに取り付けられている。
【００１３】
この構成によれば、扱室カバーを開放したときに、稈押さえ部材も同時に上方に回動する。従って、例えばメンテナンスなどの際には、扱室カバーを上方に回動させて扱室を開放するだけで、稈押さえ部材による穀稈の押さえ付けを解除することができる。
【図面の簡単な説明】
【００１４】
【図１】本発明の一実施形態に係る脱穀装置の全体的な構成を示す側面図。
【図２】脱穀装置の内部を示す側面断面図。
【図３】脱穀装置の正面断面図。
【図４】脱穀装置の平面断面図。
【図５】扱歯の斜視図。
【図６】稈押さえ部材の外観斜視図。
【発明を実施するための形態】
【００１５】
次に、図面を参照して本発明の実施の形態を説明する。図１から図４に示すように、脱穀装置１０の側面には、穀稈搬送機構１１が配置されている。この穀稈搬送機構１１は、穀稈搬送チェーン１２と、押圧部材１３（図３）と、を主に備えている。
【００１６】
穀稈搬送チェーン１２は、図１に示すように、無端環状に構成され、スプロケットの回転によって循環駆動されるように構成されている。押圧部材１３は、図３に示すように、穀稈搬送チェーン１２の上面に対して押圧されるように構成されている。これにより、図３に示すように、穀稈１４の根元部分を、穀稈搬送チェーン１２の上面と押圧部材１３との間に挟み込んで保持することができる。そして、この状態で穀稈搬送チェーン１２を循環駆動することにより、前記穀稈１４を所定方向に搬送する構成である。なお以下の説明で、穀稈搬送機構１１によって穀稈が搬送される方向を、単に搬送方向と呼ぶ。
【００１７】
脱穀装置１０内には、穀稈の脱穀を行う空間である扱室１５が形成されている。扱室１５内には、回転することにより脱穀を行う扱胴１６が配置されている。穀稈１４が穀稈搬送機構１１によって搬送されることにより、当該穀稈１４の穂先１４ａは、扱室１５内を通過する。このとき、回転する扱胴１６によって、穀稈１４の脱穀が行われる。なお、図４に示すように、穀稈搬送チェーン１２は、平面視で扱胴１６の回転軸１７と略平行に配設されている。従って、穀稈１４は、扱胴１６の回転軸１７に沿うようにして搬送される。
【００１８】
なお図２に示すように、側面視では、穀稈搬送チェーン１２の上面が、扱胴１６の回転軸１７に対して斜めに配設され、かつ、搬送方向下流側が高くなるようになっている。即ち、側面視において、穀稈搬送機構１１は、穀稈１４を斜め上方に向けて搬送するように構成されている。これにより、穀稈１４の搬送に伴って、当該穀稈１４の姿勢を変化させることができるので、扱胴１６による扱ぎ残しを低減することができる。
【００１９】
扱胴１６による脱穀が完了した穀稈（排藁）は、穀稈搬送機構１１の下流側端部において、排藁搬送機構１８（図１及び図４）に受け渡される。この排藁搬送機構１８は、図４に示すように、排藁搬送チェーン１９と、係止搬送ベルト２０と、を並列して設けた構成である。排藁搬送チェーン１９は、無端環状のチェーンとして構成され、循環駆動されることにより、その下面で排藁の根元部分を搬送するように構成されている。係止搬送ベルト２０は、一定間隔でタイン（図略）が配置された無端環状ベルトであり、当該係止搬送ベルト２０を循環駆動することにより、穀稈の穂先部分をタインによって係止しつつ搬送する構成である。
【００２０】
図１に示すように、排藁搬送機構１８の下方には、排藁処理部２１が配置されている。この排藁処理部２１は、排藁を細かく切断するための排藁カッター、切断された排藁を機外に排出するための拡散装置などを備えている。排藁搬送機構１８によって搬送される排藁は、排藁処理部２１に順次投入され、細かく裁断された後、圃場に均一に放出される。
【００２１】
次に、穀稈を脱穀するための構成について詳しく説明する。
【００２２】
扱胴１６は、金属板にて略八角形柱状の中空状筒体として構成されており、その回転軸１７が装置前後方向に沿って略水平に配置されている。扱胴１６の外周には、複数の扱歯２２が外向きに突出するように設けられている。
【００２３】
図２等に示すように、扱歯２２は、扱胴１６の回転軸１７と平行な方向に並んで複数設けられている。図５に示すように、各扱歯２２は、当該扱歯２２同士が並ぶ方向に対して平行な平面を構成するように、扁平な形状に形成されている。また図５に示すように、扱歯２２の先端部は、先端に向かって幅が狭まる略Ｖ字状に構成されている。従って、隣接する扱歯２２同士の間は、先端に向かって幅が広がるＶ型溝２３が形成されている。また、Ｖ型溝２３の奥には、丸型（又は多角形）の抜き孔２４が、前記Ｖ型溝２３に連通するように形成されている。
【００２４】
穀稈搬送機構１１によって扱室１５内を搬送される穀稈１４は、扱歯２２と扱歯２２の間の部分（Ｖ型溝２３及び抜き孔２４）に嵌まり込む。この状態で扱胴１６が回転することにより、穀稈１４は、穂先１４ａに向けて扱かれる。これにより、穀稈１４から穂の部分のみが取られる。なお、このように穀稈１４から取られた穂の部分を、穂切れと称する。
【００２５】
なお、本実施形態の扱胴１６は、上扱ぎ式に回転するように構成されている。即ち、図３に示すように、穀稈１４は上方に向けて扱かれ、当該穀稈１４の穂先１４ａは、扱胴１６の上方を通過するように構成されている。
【００２６】
図２に示すように、扱室１５の搬送方向上流側の端部には、供給口２５が形成されている。穀稈搬送機構１１によって搬送される穀稈１４の穂先１４ａは、供給口２５を介して、扱室１５内に導入される。なお図２に示すように、搬送方向で供給口２５よりも上流側には、当該供給口２５の下縁部に接続する穂先案内プレート２６が配置されている。穀稈１４の穂先１４ａの部分は、穂先案内プレート２６の上面によって供給口２５まで案内される。この構成により、穀稈１４の穂先１４ａを、扱室１５に対して適切に供給することができる。
【００２７】
また本実施形態の脱穀装置１０には、前記供給口２５を扱室１５の内側から塞ぐ逆流防止部材５０が設けられている。このように、供給口２５を逆流防止部材５０によって塞ぐことにより、供給口２５を介して扱室１５の外側に穂切れ等が飛び出すことを防ぎ、脱穀装置１０の効率を向上させることができる。なお、この逆流防止部材５０はゴム板から構成されているので、穀稈１４の穂先１４ａは、逆流防止部材５０を押し退けるようにして進むことができる。
【００２８】
なお本実施形態において、扱室１５のケーシングの天井部分を構成する天井プレート２７は、扱室カバー５５の底面を構成している。この扱室カバー５５は、回動軸５６を中心として、上方へ回動させることができるように構成されている。扱室カバー５５を回動させた様子を、図３に二点鎖線で示す。このように扱室カバー５５を上方へ回動させることにより、扱室１５を開放させることができるので、当該扱室１５内の清掃等のメンテナンスを行うことができる。
【００２９】
なお、この扱室カバー５５には、前記押圧部材１３が取り付けられている。従って、扱室カバー５５を上方に回動させることにより、押圧部材１３を上方に移動させることができるので、当該押圧部材１３と穀稈搬送チェーン１２に挟まれている穀稈１４を開放することができる。これにより、詰まった穀稈１４を取り除くなどのメンテナンスを行うことができる。
【００３０】
次に、扱胴１６の回転によって穀稈１４から取り外された穂先（穂切れ）の処理について詳しく説明する。
【００３１】
なお、扱室１５内においては、扱胴１６の回転によって、穂切れの他にも、穀粒や藁屑等が発生する。これらの混合物のことを、以下、被処理物と称する。扱胴１６の回転により発生した被処理物は、当該扱胴１６の回転により、扱胴１６の回転方向下流側に向けて放出される。被処理物の落下位置には、穂切れ処理装置２９が配置されている。扱胴１６から放出された被処理物は、穂切れ処理装置２９に投入され、当該穂切れ処理装置２９で処理されて単粒化（穀粒を枝梗から外すこと）される。
【００３２】
穂切れ処理装置２９は、図３及び図４に示すように、処理胴３０と、受網３１と、を備えている。
【００３３】
処理胴３０は、略四角筒状に形成されるとともに、その軸線を回転軸３２として回転駆動されるように構成されている。処理胴３０の回転軸３２は、扱胴１６の回転軸１７と略平行になるように配置されている。なお本実施形態では、図３に矢印で示すように、扱胴１６と処理胴３０は同じ方向に回転駆動される。この処理胴３０は、外向きに突出する複数の処理歯３３を有している。図４に示すように、複数の処理歯３３は、処理胴３０の軸線方向に沿って並んで配置されている。
【００３４】
受網３１は、処理胴３０の下半分を覆うように設けられている。図３に示すように、受網３１は、処理胴３０の軸線方向で見たときに、回転する処理歯３３の先端の軌跡に沿って形成されている。
【００３５】
この構成で、扱胴１６から穂切れ処理装置２９に導入された被処理物は、回転する処理歯３３と、受網３１と、の間で揉み解し作用を受け、単粒化が促進される。脱粒された穀粒は、受網３１を通って、下方に落下する。また、受網３１の終端には、切歯４９が形成されている。この切歯４９は、処理胴３０の軸線方向に並んで複数形成されている。そして、処理胴３０が回転することにより、切歯４９同士の間を、処理歯３３が通過するように構成されている。これにより、穂切れ処理装置２９に投入された藁屑等が細かく裁断される。細かく裁断された藁屑は、受網３１を通って下方に落下する。
【００３６】
なお、処理胴３０の回転軸３２は、扱胴１６の回転軸１７よりも低い位置となるように配置されている。これにより、扱胴１６から落下する被処理物を、穂切れ処理装置２９で確実に受けとめることができる。
【００３７】
また、扱胴１６と処理胴３０との間には、仕切板３４が配置されている。この仕切板３４は、無孔の金属板を折り曲げて形成されている。この仕切板３４の下端部は、受網３１の終端に近接して配置されている。このように仕切板３４を設けることにより、穂切れ処理装置２９内の被処理物が、処理胴３０の回転の勢いによって扱胴１６側に飛び出してしまうことを防止できる。これにより、穂切れ処理装置２９の処理効率を向上させることができる。
【００３８】
また、扱室１５の天井には、穂切案内板３５が吊り下げ支持されている。この穂切案内板３５は、処理胴３０よりも高い位置に配置されており、かつ、扱胴１６の回転方向で処理胴３０よりも上流側に配置されている。図３に示すように、穂切案内板３５は、扱胴１６の回転の勢いによって放出された穂切れ等の被処理物が衝突する位置に配置されている。また、この穂切案内板３５の下端部は、穂切れ処理装置２９を向くように配置されている。この構成で、扱胴１６の回転によって発生した被処理物を、穂切案内板３５によって穂切れ処理装置２９まで案内することができる。
【００３９】
次に、選別装置３６について説明する。
【００４０】
選別装置３６は、扱胴１６及び穂切れ処理装置２９の下方に配置されている。前述のように、扱胴１６で発生した被処理物は、穂切れ処理装置２９で処理されて、受網３１を通って落下する。受網３１から落下する落下物（穀粒、藁屑、穂切れなどの混合物）を、以下の説明では被選別物と称する。受網３１から落下した被選別物は、選別装置３６に投入される。
【００４１】
選別装置３６は、図２に示すように、揺動選別部３７と、風選別部３８とを備えている。
【００４２】
揺動選別部３７は、チャフシーブ３９を備えている。穂切れ処理装置２９の受網３１から落下した被選別物は、まずチャフシーブ３９によって受けとめられる。チャフシーブ３９は、装置の略左右方向に横架された複数のチャフフィン４０を、穀稈１４の搬送方向に複数並べて配置したものである。揺動選別部３７は、チャフシーブ３９を、搬送方向で往復揺動可能に構成されている。即ち、チャフシーブ３９を往復揺動させることで、穀粒等の重くて小さい被選別物はチャフフィン４０の間を通って下に落ち、藁屑などの軽くて大きい被選別物はチャフフィン４０に引っ掛かって残る。
【００４３】
各チャフフィン４０は、その上面が、搬送方向で斜め上流側を向くようにして配置されている。これにより、チャフシーブ３９全体を往復揺動させることで、被選別物が揺動選別されながら搬送方向下流側に向けて搬送されていく。チャフシーブ３９の後端に達するまでの間に大部分の穀粒は落下し、チャフシーブ３９の上には、穂切れや藁屑のみが残る。
【００４４】
次に風選別部３８について説明する。この風選別部３８は、唐箕ファン４１と、グレンシーブ４２と、を備えている。
【００４５】
グレンシーブ４２は網目状のプレス、又はクリンプ網として構成されており、チャフシーブ３９の下方に配置される。またグレンシーブ４２の下方には、スクリューコンベアとして構成された一番コンベア４３が配置されている。前記チャフシーブ３９の粗選別により、当該チャフシーブ３９から落下した重くて小さい被選別物（穀粒等）は、グレンシーブ４２の上に落下する。
【００４６】
唐箕ファン４１は、搬送方向下流向きの選別風を発生させ、当該選別風をグレンシーブ４２に対して下側から当てるように構成されている。
【００４７】
以上の構成で、グレンシーブ４２上に落下した被選別物に対して、唐箕ファン４１が生起する選別風が当てられる。そして、この選別風にかかわらず略垂直に落下する比重の重い物、即ち穀粒は一番物と呼ばれる。一番物は一番コンベア４３に導入され、それ以外の比重の軽いものは搬送方向下流側に向けて吹き飛ばされる。
【００４８】
一番コンベア４３に導入された一番物（穀粒）は、当該一番コンベア４３によって搬送され、例えば図略のグレンタンクに貯蔵される。以上により、被選別物から穀粒を選別して取り出すことができる。
【００４９】
チャフシーブ３９及びグレンシーブ４２の下流側端部下方には、スクリューコンベアとして構成された二番コンベア４４が配置されている。
【００５０】
チャフシーブ３９の上に残った穂切れ、藁屑等は、当該チャフシーブ３９の往復揺動により搬送方向下流側に向けて搬送され、二番コンベア４４に落下する。また、グレンシーブ４２に落下した被処理物のうち、唐箕ファン４１の選別風により吹き飛ばされた穂切れ、藁屑等も、二番コンベア４４に落下する。風選別部３８は、二番コンベア４４に落下する被選別物に対して搬送方向下流側に向けて上向きの風を当てる送風ファン４５を有している。
【００５１】
二番コンベア４４に落下する被選別物のうち、穀粒の付いた穂切れ等は比較的重いので、送風ファン４５の風にもかかわらず落下して二番コンベア４４に導入される。一方、穀粒の付いていない藁屑等は、送風ファン４５の風によって吹き飛ばされ、図略の藁出口から装置の外に排出される。
【００５２】
穀粒の付いた穂切れ等は、再処理を施して穀粒を取り出す余地があるので、回収する価値のあるものである。このように再処理の対象とするものを、二番物と称する。風選別部３８で選別されて二番コンベア４４に導入された二番物は、当該二番コンベア４４によって搬送され、二番還元コンベア４６の端部に供給される。
【００５３】
二番還元コンベア４６は、略上下方向に配設されたスクリューコンベアであり、前記二番物を、穂切れ処理装置２９よりも上方まで搬送するように構成されている。二番還元コンベア４６によって搬送された二番物は、当該二番還元コンベア４６の放出側端部４７から放出される。図４に示すように、前記放出側端部４７には、二番案内通路４８が接続されている。この二番案内通路４８は、穂切れ処理装置２９に連通している。従って、二番還元コンベア４６から放出された二番物は、二番案内通路４８を介して、穂切れ処理装置２９に投入される。以上の構成により、選別装置３６で選別された二番物を、穂切れ処理装置２９によって再処理することができる。
【００５４】
次に、本発明の特徴的構成について説明する。
【００５５】
前述のように、本実施形態の脱穀装置１０は、扁平状に形成された扱歯２２の間に穀稈１４を挟み込んで扱くことにより、穂先の部分を取り外す構成である。ところで、本実施形態のように穀稈１４を挟み込んで扱く構成の場合、扱胴１６の回転により、穀稈１４が扱歯２２によって引っ張られることになる。従って、扱胴１６と、穀稈搬送機構１１と、の間の部分の穀稈が突っ張ったような状態となり、穀稈が浮き上がってしまうという問題があった。
【００５６】
そこで本実施形態の脱穀装置１０は、図３等に示すように、穀稈搬送機構１１と扱胴１６との間に、稈押さえ部材２８を配置したものである。この稈押さえ部材２８は、図３に示すように、穀稈搬送機構１１と扱胴１６の間の穀稈１４に対して、上方から接触するように配置されている。
【００５７】
より具体的には以下のとおりである。即ち、扱胴１６の回転軸１７に直交する断面（図３）において、穀稈搬送機構１１が穀稈１４を挟持している点を通り、かつ扱胴１６の外周に接する仮想線５７を想定したとき、稈押さえ部材２８は、前記仮想線５７に対して干渉するように配置されている。そして、穀稈１４は、稈押さえ部材２８の下方を通過する。これにより、穀稈１４を扱胴１６に対して押さえ付けることができるので、当該穀稈１４が扱胴１６から浮き上がることを防止し、脱穀を確実に行うことができる。
【００５８】
図１及び図４に示すように、稈押さえ部材２８は、穀稈１４の搬送方向に略沿って配置された丸パイプ部材として構成されている。このように稈押さえ部材２８を丸パイプ部材としたので、搬送方向に直交する断面において、稈押さえ部材２８の断面輪廓に鋭利な部分がない。即ち、稈押さえ部材２８は、穀稈１４と接触する部分に鋭利な箇所を有していないので、当該穀稈１４を傷つけることなく押さえ付けることができる。また、稈押さえ部材２８を搬送方向に沿って配置したことにより、当該稈押さえ部材２８によって押さえ付けられた状態で穀稈１４を搬送することができる。
【００５９】
また図１等に示すように、稈押さえ部材２８は、その途中部に屈曲部２８ａが形成されている。稈押さえ部材２８のうち、屈曲部２８ａよりも搬送方向上流側を導入部２８ｂ、屈曲部２８ａよりも搬送方向下流側を押さえ部２８ｃと呼ぶ。
【００６０】
図１に示すように、稈押さえ部材２８の導入部２８ｂは、その端部（搬送方向上流側の端部）が上方を向くように斜めに配置されている。また、この導入部２８ｂの端部において、稈押さえ部材２８は、扱胴１６と穀稈搬送機構１１との間の穀稈１４に対して接触しない（即ち、仮想線５７に干渉しない）ように配置されている。そして、稈押さえ部材２８の導入部２８ｂは、下流側に向かうに従って、前記仮想線５７に対して上方から徐々に近づいていくように配置されている。
【００６１】
即ち、穀稈搬送機構１１によって搬送される穀稈１４に対して、稈押さえ部材２８の導入部２８ｂが上方から徐々に近づいていくように構成されている。このように、稈押さえ部材２８に導入部２８ｂを形成することにより、穀稈１４を徐々に押さえ付けていくことができる。これにより、稈押さえ部材２８による穀稈１４の押さえ付けを、スムーズに開始することができる。
【００６２】
そして本実施形態では、側面視（図１）において、穀稈搬送チェーン１２の上面の配設方向と、稈押さえ部材２８の押さえ部２８ｃの長手方向とが、平行ではなく、所定の角度を有している。より具体的には、稈押さえ部材２８は、押さえ部２８ｃの部分において、搬送方向下流側に進むに従って、穀稈１４を押さえ付ける力を徐々に強くするように配置されている。
【００６３】
稈押さえ部材がこのように配置されているのは、以下のような理由による。即ち、搬送方向の上流側では、穀稈１４に穀粒等が大量に付いているので、扱歯２２によって穀稈１４を扱くときの抵抗が大きい。従って、搬送方向の上流側において、穀稈１４を扱胴１６に強く押し付け過ぎてしまうと、扱胴１６の回転抵抗が過大になってしまう。一方で、穀稈１４が搬送されるに従い、脱穀が進行するので、穀稈１４に付いている穀粒等は少なくなっていく。この結果、扱歯２２によって穀稈１４を扱くときの抵抗は小さくなっていく。即ち、搬送方向の下流側では、上流側に比べて、扱胴１６の回転抵抗が小さくなるので、当該扱胴１６に対して穀稈を強く押し付けることができる。
【００６４】
従って上記のように、稈押さえ部材２８が穀稈１４を押さえ付ける力を、搬送方向下流側に向けて徐々に強くすることが好適である。これにより、穀稈１４を扱胴１６に対して無理なく押し付けていくことができるので、扱胴１６の駆動負荷を増大させることなく、扱ぎ残しを低減することができる。
【００６５】
また、本実施形態において、稈押さえ部材２８は、扱室カバー５５に取り付けられている。より具体的には、稈押さえ部材２８は、図６に示す取付プレート５８に固定されている。そしてこの取付プレート５８が、扱室カバー５５に取り付けられている。
【００６６】
このように、稈押さえ部材２８を扱室カバー５５に取り付けた構成とすることにより、扱室カバー５５を上方に回動させたときに、稈押さえ部材２８を上方に移動させることができる。これにより、扱室カバー５５を上方に回動させるという簡単な操作で、稈押さえ部材２８による穀稈１４の押さえ付けを解除することができる。従って、例えばメンテナンスなどの際に、稈押さえ部材２８による穀稈１４の押さえ付けを解除するための特別な操作が不要である。
【００６７】
なお、前記取付プレート５８は、ネジ止めにより扱室カバー５５に固定される。取付プレート５８には、前記ネジ止めのためのネジを挿通させる挿通孔５９が形成されている。図６に示すように、挿通孔５９は、上下方向に長い長孔として構成されている。これにより、取付プレート５８を固定する際に、当該取付プレート５８の上下方向の位置を調整することができる。従って、稈押さえ部材２８の上下位置を調整できるので、当該稈押さえ部材２８が穀稈１４を下向きに押さえ付ける力を調整することができる。
【００６８】
以上で説明したように、本実施形態の脱穀装置１０は、扱胴１６と、穀稈搬送機構１１と、稈押さえ部材２８と、を備えている。扱胴１６は、複数の扱歯２２を外周に備え、扱室１５内で回転軸１７を中心に回転する。穀稈搬送機構１１は、扱胴１６の回転軸１７に沿って穀稈１４を搬送する。稈押さえ部材２８は、扱胴１６及び穀稈搬送機構１１の間に配置される。扱歯２２は扁平状に形成され、かつ、扱胴１６の回転軸１７と略平行な方向で隣接する扱歯２２同士は、Ｖ型溝２３を形成している。扱胴１６は、穀稈１４を上扱ぎ式に脱穀する方向に回転する。稈押さえ部材２８は、扱胴１６及び穀稈搬送機構１１の間の穀稈１４に対して、上方から接触するように配置される。当該稈押さえ部材２８には、穀稈１４の搬送方向上流側端部において、搬送される穀稈１４に対して上方から徐々に接近する導入部２８ｂが形成される。
【００６９】
この構成により、稈押さえ部材２８によって、扱胴１６と穀稈搬送機構１１との間の穀稈１４を下向きに押さえ付けることができるので、穀稈１４が扱胴１６から浮き上がってしまうことを防止できる。これにより、扱ぎ残しを低減することができる。また、稈押さえ部材２８に導入部２８ｂを形成したことにより、穀稈１４が搬送される際に、稈押さえ部材２８によって当該穀稈１４をスムーズに押さえていくことができる。
【００７０】
また本実施形態の脱穀装置１０において、稈押さえ部材２８は、穀稈１４の搬送方向に沿って配置された丸パイプである。
【００７１】
即ち、丸パイプとして構成された稈押さえ部材２８には、穀稈１４に接触する部分に鋭い部分がないので、穀稈１４を傷つけることなく押さえ付けることができる。
【００７２】
また本実施形態の脱穀装置１０は、以下のように構成されている。即ち、扱室１５のケーシングには、上方に回動することで扱室１５を開放する扱室カバー５５が設けられている。稈押さえ部材２８は、扱室カバー５５に取り付けられている。
【００７３】
この構成によれば、扱室カバー５５を開放したときに、稈押さえ部材２８も同時に上方に回動する。従って、例えばメンテナンスなどの際には、扱室カバー５５を上方に回動させて扱室１５を開放するだけで、稈押さえ部材２８による穀稈１４の押さえ付けを解除することができる。
【００７４】
以上に本発明の好適な実施の形態を説明したが、上記の構成は例えば以下のように変更することができる。
【００７５】
本発明の脱穀装置は、据え置きの脱穀装置、ハーベスタ内蔵の脱穀装置、コンバイン内蔵の脱穀装置など、様々な脱穀装置に適用することができる。
【００７６】
稈押さえ部材２８は、丸パイプに限定されず、その下面（穀稈１４に接触する部分）の断面輪廓形状に尖った部分がない形状であれば良い。
【００７７】
稈押さえ部材２８の上下位置を調整する構成は、省略することができる。また、取付プレート５８を介すことなく、稈押さえ部材２８を扱室カバー５５に直接取り付けても良い。もっとも、稈押さえ部材２８は、扱室カバー５５に取り付ける構成に限らない。稈押さえ部材２８によって穀稈を上方から押さえることができるのであれば、当該稈押さえ部材２８はどこに取り付けられていても良い。
【００７８】
押さえ部２８ｃは、穀稈搬送チェーン１２に対して平行に配置されても良い。また、図面では、導入部２８ｂ及び押さえ部２８ｃが直線状に形成されている構成を示しているが、導入部２８ｂ又は押さえ部２８ｃが曲線状に湾曲していても良い。要は、穀稈１４を上方から押さえ付けることができるのであれば、稈押さえ部材２８の形状は特に限定されない。
【００７９】
また、稈押さえ部材は１つの部材で構成されなくても良い。例えば、導入部２８ｂと押さえ部２８ｃを別々の丸パイプによって構成しても良い。
【符号の説明】
【００８０】
１０  脱穀装置
１１  穀稈搬送装置
１４  穀稈
１５  扱室
１６  扱胴
２２  扱歯
２８  押さえ部材
２８ｂ  導入部
５５  扱室カバー
【図１】
0005743799.tif 000002
【図２】
0005743799.tif 000003
【図３】
0005743799.tif 000004
【図４】
0005743799.tif 000005
【図５】
0005743799.tif 000006
【図６】
0005743799.tif 000007